(57)【要約】【課題】カウンターから外れ難くかつ良好な意匠性を有する載置プレートの支持構造、及びその支持構造に使用する係合部材の取付方法を提供する。【解決手段】浴室１の壁面２に設けられたカウンター３と、このカウンター３よりも大きい前後方向長さを有する載置プレート４と、壁面２に設けられかつ載置プレート４の基端縁に引っ掛けてその上方移動を規制する係合部材１１とを備えており、載置プレート４の基端縁を係合部材１１に引っ掛けて載置プレート４の後部をカウンター３上に当接させることにより、載置プレート４の先端部分がカウンター３の前端縁よりも前方に突出する片持ち状で当該載置プレート４がカウンター３に取り付けられる載置プレート４の支持構造において、係合部材１１が外部に露出しないように隠蔽する隠蔽凹部２０が載置プレート４の後端縁に形成されている。【選択図】図３
2007289498.tif 000002
【特許請求の範囲】
【請求項１】
浴室の洗い場の壁面に設けられたカウンターと、このカウンターよりも大きい前後方向長さを有する載置プレートと、前記壁面に設けられかつ前記載置プレートの基端縁に引っ掛けてその上方移動を規制する係合部材とを備えており、前記載置プレートの基端縁を前記係合部材に引っ掛けて同載置プレートの後部を前記カウンター上に当接させることにより、前記載置プレートの先端部分が前記カウンターの前端縁よりも前方に突出する片持ち状で当該載置プレートが前記カウンターに取り付けられる載置プレートの支持構造において、
前記係合部材が外部に露出しないように隠蔽する隠蔽凹部が前記載置プレートの後端縁に形成されていることを特徴とする載置プレートの支持構造。
【請求項２】
前記係合部材は、前記載置プレートの先端部分が上方に持ち上げられると、当該載置プレートの基端縁に対する係合が解除される形状に形成されている請求項１に記載の載置プレートの支持構造。
【請求項３】
前記カウンターの前端縁が当接する段差面が前記載置プレートの裏面側に形成され、
前記係合部材は、前記隠蔽凹部に設けた横向きの係合ピンに上方から引っ掛かる引っ掛け凹部を有するフック部材よりなり、その引っ掛け凹部が前方に向かって下方に傾斜するカム形状に形成されている請求項１又は２に記載の載置プレートの支持構造。
【請求項４】
次の工程（ａ）〜（ｃ）を含むことを特徴とする、請求項１〜３のいずれか１項に記載の載置プレートの支持構造に使用する係合部材の取付方法。
（ａ）左右に所定間隔をおいた複数の目印孔を有するゲージプレートを、カウンターの左右方向における所定位置にセットする第一工程
（ｂ）前記複数の目印孔を用いて前記カウンターの上方の壁面部分にビス孔を形成する第二工程
（ｃ）前記各ビス孔に貫通させた取付ビスによって係合部材を前記壁面部分に取り付ける第三工程
【発明の詳細な説明】
【技術分野】
【０００１】
本発明は、浴室において洗面器等が置かれる載置プレートの支持構造と、その支持構造に使用する係合部材の取付方法に関する。
【背景技術】
【０００２】
載置プレートの支持構造として、浴室のカウンターに設けられた凹部の壁面左右両側に一対の支持材が設けられ、当該壁面中央に他の支持材が設けられ、載置プレートが左右一対の支持材に載置されると共に、載置プレートに中央の他の支持材が挿入されることで支持される特許文献１に記載された支持構造が知られている。しかし、その支持構造では、載置プレートが両側の支持材に載せられ、中央の短い支持材が当該載置プレートに挿入されているだけなので、載置プレートが中央の支持材から抜ければカウンターから簡単に外れてしまう。そこで、図７に示すように載置プレート２０の裏面に設けられた突起２１をカウンターに形成された穴に嵌合し、載置プレート２０の後端縁を台押さえ２２に当てることで、載置プレートを簡単に外れないようにした支持構造が考案されている。
【特許文献１】特開２００２−１３６４４１号公報
【発明の開示】
【発明が解決しようとする課題】
【０００３】
しかし、図７の支持構造では、載置プレート２０が外れ難くなっているものの、台押さえ２２が外部に露出しており意匠性が低い。
そこで、本発明は上記従来技術の問題点に鑑み、カウンターから外れ難くかつ良好な意匠性を有する載置プレートの支持構造、及びその支持構造に使用する係合部材の取付方法を提供することを目的とする。
【課題を解決するための手段】
【０００４】
上記目的を達成するため、本発明は次の技術的手段を講じた。
すなわち、本発明は、浴室の洗い場の壁面に設けられたカウンターと、このカウンターよりも大きい前後方向長さを有する載置プレートと、前記壁面に設けられかつ前記載置プレートの基端縁に引っ掛けてその上方移動を規制する係合部材とを備えており、前記載置プレートの基端縁を前記係合部材に引っ掛けて同載置プレートの後部を前記カウンター上に当接させることにより、前記載置プレートの先端部分が前記カウンターの前端縁よりも前方に突出する片持ち状で当該載置プレートが前記カウンターに取り付けられる載置プレートの支持構造において、前記係合部材が外部に露出しないように隠蔽する隠蔽凹部が前記載置プレートの後端縁に形成されていることを特徴とする。
【０００５】
上記本発明の載置プレートの支持構造によれば、載置プレートの基端縁に引っ掛けてその上方移動を規制する係合部材があるので載置プレートが外れ難く、その係合部材が外部に露出しないように隠蔽する隠蔽凹部が載置プレートの後端縁に形成されているので、良好な意匠性を有する。
【０００６】
上記本発明において、前記係合部材は、前記載置プレートの先端部分が上方に持ち上げられると、当該載置プレートの基端縁に対する係合が解除される形状に形成されていることが好ましい。
この場合、係合部材が簡単に解除され載置プレートを簡単に外すことができる。
【０００７】
また、前記カウンターの前端縁が当接する段差面が前記載置プレートの裏面側に形成されている場合、前記係合部材は、例えば、前記隠蔽凹部に設けた横向きの係合ピンに上方から引っ掛かる引っ掛け凹部を有するフック部材よりなり、その引っ掛け凹部が前方に向かって下方に傾斜するカム形状に形成されているものとすればよい。
この場合、載置プレートの上面前側に下方への荷重がかけられた際、係合部材により当該載置プレートの基端縁の上方移動が規制され、それと共に、上記カム形状により、載置プレートが壁面側へ引き寄せられ、カウンターの前端縁が載置プレートの裏面側に形成された段差面に圧接される。これにより、載置プレートはカウンターに強固に支持される。
【０００８】
また、本発明は、次の工程（ａ）〜（ｃ）を含むことを特徴とする、載置プレートの上記支持構造に使用する係合部材の取付方法である。
（ａ）左右に所定間隔をおいた複数の目印孔を有するゲージプレートを、カウンターの左右方向における所定位置にセットする第一工程
（ｂ）前記複数の目印孔を用いて前記カウンターの上方の壁面部分にビス孔を形成する第二工程
（ｃ）前記各ビス孔に貫通させた取付ビスによって係合部材を前記壁面部分に取り付ける第三工程
【０００９】
上記本発明の係合部材の取付方法によれば、ゲージプレートを用いることによって取付ビスの位置決めができるので、載置プレートをカウンターの正確な位置に取り付けることができる。
【発明の効果】
【００１０】
本発明の載置プレートの支持構造によれば、載置プレートの基端縁に引っ掛けてその上方移動を規制する係合部材を外部に露出させないように隠蔽する隠蔽凹部を、載置プレートの後端縁に形成したので、カウンターから外れ難くかつ良好な意匠性を有する。また、本発明の係合部材の取付方法によれば、載置プレートをカウンターの正確な位置に取り付けることができるので意匠性を損なわない。
【発明を実施するための最良の形態】
【００１１】
以下、図面を参照しつつ本発明の実施形態を説明する。図１は本発明に係る載置プレートの支持構造Ｓの一実施形態を示し、図２は載置プレートが設けられた浴室の一例を示している。この支持構造Ｓは、浴室１の洗い場の壁面２に設けられたカウンター３と、このカウンター３よりも大きい前後方向長さを有する載置プレート４と、壁面２に設けられかつ載置プレート４の基端縁に引っ掛けてその上方移動を規制する係合部材１１とを備えている。なお以下の説明において、浴室１に設けられたカウンター３に向かって前後方向、左右方向、上下方向という。カウンター３は、洗い場の壁面２で水栓５より下に固定されており、載置プレート４はカウンター３に載置され、載置プレート４に洗面器を置いたときに、水栓５からの湯水を洗面器に流し込むことができるようになっている。
【００１２】
図３に示すように、カウンター３は、上下方向に延びる壁面部分３Ａと、この壁面部分３Ａの下端から前後方向手間側に延びる載置部３Ｂと、この載置部３Ｂの前端縁Ｚから下方へ延びる前端部分３Ｃで構成されており、壁面部分３Ａの裏面と載置部３Ｂの裏面が金具を用いて壁面２に取り付けられ、カウンター３が壁面２の所要高さの位置に固定されている。載置プレート４は、カウンター３よりも前方に突出するように平板状に形成されたプレート本体４１と、このプレート本体４１の後端から上方へ延びる壁部４２とからなり、当該プレート本体４１の底部後側には、カウンター３の載置部３Ｂの前端縁に接触する段差面Ｃを前側に有する一段高い段差部６が形成されている（図３参照）。また、プレート本体４１の上部には洗面器を置くための楕円状の載置面７、及びこの載置面７よりも一段高い段部８が形成されている。また、載置プレート４の後端縁の左右に所定間隔をおいた箇所には、一対の隠蔽凹部２０が形成されている。
【００１３】
また、係合部材１１は、上記隠蔽凹部２０に設けた横向きの係合ピン３１に上方から引っ掛かる引っ掛け凹部１１Ａを有するフック部材１１よりなり、左右の上記隠蔽凹部２０の位置でカウンター３の壁面部分３Ａに固定されている。従って、載置プレート４がカウンター３に取り付けられた状態で、上記係合部材１１は隠蔽凹部２０により外部に露出しないようになっている。また、引っ掛け凹部１１Ａは、前方に向かって下方に傾斜するカム形状に形成されており、載置プレート４の先端部分が上方に持ち上げられると、当該載置プレート４の基端縁に対する係合が解除される。
【００１４】
そして、図３に示すように、載置プレート４の基端縁の係合ピン３１をフック部材１１に引っ掛けて同載置プレート４の後部をカウンター３上に当接させることにより、載置プレート４の先端部分がカウンター３の前端縁よりも前方に突出する片持ち状で当該載置プレート４がカウンター３に取り付けられる。また、載置プレート４の底部がカウンター３上に接触し、それと共に段差面Ｃがカウンター３の前端縁Ｚに接触した状態で載置プレート４が支持されている。
【００１５】
上記支持構造Ｓにより、載置プレート４の上面前側に下方への荷重がかけられた際、係合部材１１により載置プレート４の後端部の上方への移動が規制される。それと共に、フック部材１１のカム形状により、載置プレート４の後端部が上方へ移動しようとすると、載置プレート４が壁面２側へ引き寄せられる。載置プレート４が壁面２側へ引き寄せられると、当該載置プレート４の段差面Ｃがカウンターの前端縁Ｚに圧接される。
【００１６】
つまり、載置プレート４の載置面７に洗面器が置かれ水が流し込まれるなどして下方への荷重がかかると、その荷重は、フック部材１１の係合、及び段差面Ｃとカウンター３の前端縁Ｚとの圧接で受けられ、荷重が大きくなるに従って当該圧接の力が大きくなる。これにより、載置プレート４はカウンター３に強固に支持される。
【００１７】
載置プレート４をカウンター３へ取り付ける方法を説明する。図４は、カウンター３の裏面を斜め下方からみた図である。同図に示すようなゲージプレート１２を準備する。このゲージプレート１２は、本体板部１２１とその両端部に内外に折り曲げ自在に設けられたＬ型足部１２２とからなり、左右に所定間隔をおいた複数の目印孔１３と上部の切り欠き１４を有している。まず、カウンター３の壁面部３Ａの裏面に垂直方向のケガキ線１５を設ける。ゲージプレート１２の切り欠き１４を、カウンター３のケガキ線１５に合わせるようにして、当該ゲージプレート１２をカウンター３の裏面の角部に添わせる。この状態で、フック１１を固定するための取付ビス１６の位置決めがされる。
【００１８】
上記目印孔３を用いて壁面部３Ａにビス孔１７を形成し、ゲージプレート１２を取り除く。そして、取付ビス１６を、ワッシャー１８を挟んだ状態で壁面部３Ａのビス孔１７に貫通させ、フック部材１１に螺合させて当該フック１１を壁面部３Ａの前面に固定する（図５参照）。フック部材１１が固定されたカウンター３を浴室１の壁面２に設置する。最後に、載置プレート４の後端縁の係合ピン３１をカウンター３のフック部材１１に係合させて載置プレート４をカウンター３に載置し、取り付けが完了する。この取付方法によれば、取付ビス１６の位置決めができるので、載置プレート４をカウンター３の正確な位置に取り付けることができ、浴室１の意匠性を損なわない。
【００１９】
なお、載置プレート４のカウンター３への装着方法は、載置プレート４の係合ピン３１をフック部材１１に係合させつつ、その前端部を下げて装着する（図６の矢印Ｙ１方向）。脱着方法はその逆であり、載置プレート４の前端部を上方に持ち上げながら、当該載置プレート４を手前に引いて係合ピン３１とフック部材１１の係合を解除する（図６の矢印Ｙ２方向）。従って、載置プレート４を簡単に着脱することができ便利である。
【００２０】
上記本実施形態の載置プレート４の支持構造Ｓによれば、載置プレート４の基端縁に引っ掛けてその上方移動を規制するフック部材１１の係合により、載置プレート４が外れ難く、そのフック部材１１が外部に露出しないように隠蔽する隠蔽凹部２０が載置プレート４の後端縁に形成されているので、良好な意匠性を有する。
【００２１】
本発明は、上記実施形態に限定されるものではない。上記実施形態の係合部材は一例を示したものであり、他の形態のものを採用してもよい。フックを直接的に浴室の壁面に固定してもよい。載置プレートの上部に洗面器を置くための載置面を形成したが、当該上面に、他の洗面用具類を置くために異なる形状に形成された載置面を形成してもよい。
【図面の簡単な説明】
【００２２】
【図１】載置プレートがカウンターに取り付けられた状態を示す斜視図である。
【図２】載置プレートが設けられた浴室である。
【図３】図１のＡ−Ａ線断面図である。
【図４】カウンターの裏側を斜め下から見た図である。
【図５】フックをカウンターに取り付ける説明断面図である。
【図６】載置プレートの着脱方法を説明するための側面図である。
【図７】従来の載置プレートの支持構造を説明するための図である。
【符号の説明】
【００２３】
１    浴室
２    壁面
３    カウンター
３Ａ  壁面部
３Ｂ  載置部
４    載置プレート
４１  前端部
４２  後端部
６    段差部
１１  係合部材（フック部材）
１２  ゲージプレート
３１  係合ピン
Ｓ    支持構造
Ｚ    前端縁
Ｃ    段差面
【図１】
2007289498.tif 000003
【図２】
2007289498.tif 000004
【図３】
2007289498.tif 000005
【図４】
2007289498.tif 000006
【図５】
2007289498.tif 000007
【図６】
2007289498.tif 000008
【図７】
2007289498.tif 000009